(57)【要約】【課題】  背景映像データの伝送を効率よく行うことにより、背景映像の途切れを低減する。【解決手段】  映像台本データに基づいて、サーバ３１から受信した複数の断片映像データを繋ぎ合わせて一連の背景映像としてストリーミング再生可能であり、かつ当該断片映像データを録画可能なカラオケ背景映像表示システム１１において、背景映像再生制御手段５０を備える。背景映像再生制御手段５０は、任意のカラオケ楽曲の演奏に際して、サーバ３１にアクセスして、断片映像データを背景映像としてストリーミング再生させるが、断片映像データ録画部４３ｂに録画された断片映像データの中に、当該カラオケ楽曲の映像台本データに含まれている断片映像データが存在する場合には、サーバ３１から当該断片映像データを受信することなく、録画された断片映像データを背景映像として再生させる。【選択図】  図１
2011013291.tif 000002
【特許請求の範囲】
【請求項１】
予めカラオケ楽曲毎に作成した映像台本データに基づいて、サーバから受信した複数の断片映像データを繋ぎ合わせて一連の背景映像としてストリーミング再生可能であると共に、当該断片映像データを録画可能なカラオケ背景映像表示システムであって、映像台本管理手段と、背景映像再生制御手段と、を備え、
映像台本管理手段は、カラオケ楽曲別に、背景映像として再生させるための断片映像データの映像ＩＤと、各断片映像データの表示タイミングデータとを紐付けてなる映像台本ＩＤに楽曲ＩＤを対応付けて、映像台本データベースにて管理し、
背景映像再生制御手段は、任意のカラオケ楽曲の演奏に際して、
（１）演奏を行うカラオケ楽曲の映像台本データを参照し、録画された断片映像データの中に、当該映像台本データに含まれている断片映像データが存在しない場合には、当該断片映像データをストリーミング再生させる。
（２）断片映像データを背景映像としてストリーミング再生させる場合であって、かつ、予約待ち行列において当該カラオケ楽曲よりも後順位のカラオケ楽曲の映像台本データに当該断片映像データが含まれている場合には、受信した当該断片映像データを録画する。
（３）演奏を行うカラオケ楽曲の映像台本データを参照し、録画された断片映像データの中に、当該映像台本データに含まれている断片映像データが存在する場合には、当該録画された断片映像データを再生させる。
（４）録画された断片映像データを背景映像として再生させた場合であって、かつ、予約待ち行列において当該カラオケ楽曲よりも後順位のカラオケ楽曲の映像台本データに当該断片映像データが含まれていない場合には、当該録画された断片映像データを消去する。
という制御を行うことを特徴とするカラオケ背景映像表示システム。
【発明の詳細な説明】
【技術分野】
【０００１】
本発明は、予めカラオケ楽曲毎に作成した映像台本データに基づいて、サーバから受信した複数の断片映像データを繋ぎ合わせて一連の背景映像としてストリーミング再生可能であると共に、当該断片映像データを録画可能なカラオケ背景映像表示システムに関するものである。
【背景技術】
【０００２】
現在普及しているカラオケ演奏装置では、背景映像がハイビジョン化されており、美しいＨＤ（Ｈｉｇｈ  Ｄｅｆｉｎｉｔｉｏｎ）映像を背景に歌唱することができるようになっている。しかし、ＨＤ映像は、従来の背景映像に使用されていた映像と比較して、データサイズが大きい。このため、サーバから映像データをダウンロードして蓄積するタイプのカラオケ演奏装置では、大容量のＨＤＤが必要となって製造コストが上昇するばかりでなく、通信コストも上昇する。
【０００３】
そこで、ネットワークに接続された複数のカラオケ演奏装置に、それぞれ映像データを断片的に記憶させて、カラオケ楽曲が演奏される際に、当該カラオケ楽曲で使用する背景映像を互いに補完し合ってストリーミング再生を行うという技術が考案されている。また、複数のカラオケ演奏装置を傘下に置くローカルサーバに背景映像を蓄積し、各カラオケ演奏装置はカラオケ楽曲の演奏に合わせて背景映像をストリーミング再生するという技術もある。このように、近年のカラオケ演奏装置は、大容量の記憶領域を必要とせずに、ストリーミング再生を行うことで背景映像を表示させることが多い（特許文献１、特許文献２参照）。
【先行技術文献】
【特許文献】
【０００４】
【特許文献１】特開２００６−３３２７５９号公報
【特許文献２】特開２００８−３１１７９５号公報
【発明の概要】
【発明が解決しようとする課題】
【０００５】
一般的に普及しているカラオケ演奏装置では、カラオケ楽曲の演奏時間内に、複数の断片映像（差し込み映像）を繋ぎ合わせて一連の映像とした背景映像を使用したものが多い。例えば、任意のカラオケ楽曲について、複数の断片映像の中から当該カラオケ楽曲の雰囲気にあったものを選択して台本データを作成し、この台本データに基づいて複数の断片映像を繋ぎ合わせることにより、当該カラオケ楽曲の演奏に合わせて背景映像が表示される。したがって、曲風が似通っているカラオケ楽曲では、背景映像の構成要素として同じ断片映像が選択されることが多々ある。そして、このようにして作成された背景映像であっても、近年のハイビジョン化によりデータサイズが大きくなる傾向にあることに変わりはない。
【０００６】
ところで、背景映像をストリーミング再生する際に、他のカラオケ演奏装置の使用を含めて演奏が頻繁になると、伝送路におけるトラフィックが増大してしまい、背景映像の表示が途切れるおそれがある。このように、背景映像の表示が途切れると、カラオケ利用者が興ざめしてしまい、カラオケ演奏を楽しむことができなくなってしまう。特に、データサイズが膨大化しているＨＤ映像を背景映像とする場合に、このようなトラブルが懸念される。また、専用回線を用いてデータ伝送を行うのではなく、汎用回線を用いてデータ伝送を行う場合には、帯域を占有してしまい、他の回線利用者に迷惑をかけることにもなる。
【０００７】
本発明は、上述した事情に鑑み提案されたもので、背景映像をストリーミング再生可能なカラオケシステムにおいて、背景映像データの伝送を効率よく行うことにより、背景映像の途切れを低減することが可能なカラオケ背景映像表示システムを提供することを目的とする。
【課題を解決するための手段】
【０００８】
本発明のカラオケ背景映像表示システムは、上述した目的を達成するため、以下の特徴点を有している。すなわち、本発明のカラオケ背景映像表示システムは、予めカラオケ楽曲毎に作成した映像台本データに基づいて、サーバから受信した複数の断片映像データを繋ぎ合わせて一連の背景映像としてストリーミング再生可能であると共に、当該断片映像データを録画可能なカラオケ背景映像表示システムであって、映像台本管理手段と、背景映像再生制御手段と、を備えたことを特徴としている。
【０００９】
映像台本管理手段は、カラオケ楽曲別に、背景映像として再生させるための断片映像データの映像ＩＤと、各断片映像データの表示タイミングデータとを紐付けてなる映像台本ＩＤに楽曲ＩＤを対応付けて、映像台本データベースにて管理するための手段である。
【００１０】
背景映像再生制御手段は、任意のカラオケ楽曲の演奏に際して、以下の制御を行うための手段である。
（１）演奏を行うカラオケ楽曲の映像台本データを参照し、録画された断片映像データの中に、当該映像台本データに含まれている断片映像データが存在しない場合には、当該断片映像データをストリーミング再生させる。
【００１１】
（２）断片映像データを背景映像としてストリーミング再生させる場合であって、かつ、予約待ち行列において当該カラオケ楽曲よりも後順位のカラオケ楽曲の映像台本データに当該断片映像データが含まれている場合には、受信した当該断片映像データを録画する。
【００１２】
（３）演奏を行うカラオケ楽曲の映像台本データを参照し、録画された断片映像データの中に、当該映像台本データに含まれている断片映像データが存在する場合には、当該録画された断片映像データを再生させる。
【００１３】
（４）録画された断片映像データを背景映像として再生させた場合であって、かつ、予約待ち行列において当該カラオケ楽曲よりも後順位のカラオケ楽曲の映像台本データに当該断片映像データが含まれていない場合には、当該録画された断片映像データを消去する。
【００１４】
このような構成からなるカラオケ背景映像表示システムは、サーバから受信した複数の断片映像データを繋ぎ合わせて一連の背景映像としてストリーミング再生する機能と、当該断片映像データを録画する機能とを有している。そして、任意のカラオケ楽曲の演奏に際して、当該カラオケ楽曲の背景映像として使用する断片映像データが録画されていない場合には、当該断片映像データを背景映像としてストリーミング再生させる。一方、当該カラオケ楽曲の背景映像として使用する断片映像データが録画されている場合には、録画された断片映像データを背景映像として再生させる。
【００１５】
また、予約待ち行列において、現に演奏されるカラオケ楽曲の背景映像として使用する断片映像データが、当該カラオケ楽曲よりも後順位のカラオケ楽曲の演奏で使用される場合には、当該断片映像データを録画しておく。一方、予約待ち行列において、現に演奏されるカラオケ楽曲の背景映像として使用する断片映像データが、当該カラオケ楽曲よりも後順位のカラオケ楽曲で使用されない場合には、当該断片映像データの録画は行わない。
【発明の効果】
【００１６】
本発明のカラオケ背景映像表示システムによれば、任意のカラオケ楽曲の演奏に際して、映像台本データを参照して、当該カラオケ楽曲で使用する断片映像データに関して、当該カラオケ楽曲よりも後順位に選曲予約されたカラオケ楽曲の演奏で使用される断片映像データがある場合には、当該断片映像データを録画しておく。そして、背景映像を表示する際に、録画された断片映像データが存在すれば、サーバから当該断片映像データを受信することなく、録画された断片映像データを使用して背景映像を再生する。また、録画された断片映像データが存在しない場合には、サーバから当該断片映像データを受信して、背景映像をストリーミング再生する。
【００１７】
したがって、録画された断片映像データが存在する場合には、カラオケ楽曲の演奏に際して、その都度、背景映像として使用するすべての断片映像データをサーバから受信してストリーミング再生する必要がなくなり、伝送路におけるトラフィックを減少させて、断片映像データの伝送効率を向上させることができるので、伝送路の帯域占有に起因する背景映像の途切れを低減することが可能となる。また、断片映像データの伝送効率が良くなるので、ストリーミング再生に使用するバッファメモリサイズを小さくすることができ、カラオケシステムの製造コストを低減することが可能となる。
【図面の簡単な説明】
【００１８】
【図１】本発明の実施形態に係るカラオケ背景映像表示システムの構成を示すブロック図。
【図２】映像台本データベースの構成例を示す説明図。
【図３】本発明の実施形態に係るカラオケ背景映像表示システムにおける背景映像の表示制御処理を示すフローチャート。
【図４】本発明の実施形態に係るカラオケ背景映像表示システムにおける背景映像の表示制御処理を示すフローチャート。
【図５】本発明の実施形態に係るカラオケ背景映像表示システムにおける背景映像の表示制御の手順を示す説明図。
【発明を実施するための形態】
【００１９】
以下、本発明の実施形態に係るカラオケ背景映像表示システムについて説明する。図１は、本発明の実施形態に係るカラオケ背景映像表示システムの構成を示すブロック図である。
【００２０】
＜カラオケ背景映像表示システム＞
本発明の実施形態に係るカラオケ背景映像表示システム１１は、図１に示すように、カラオケ本体２１、カラオケリモコン装置２２、マイクロホン２３、スピーカ２４、ミキシングアンプ２５、表示装置２６を備えている。このカラオケ背景映像表示システム１１では、インターネット回線等のネットワークを介して、サーバ３１に複数のカラオケ本体２１が接続されている。また、サーバ３１には、複数の断片映像データ３１ａが格納されている。
【００２１】
＜カラオケリモコン装置＞
カラオケリモコン装置２２は、ユーザインタフェース機能を備えており、カラオケ本体２１のローカル送受信手段４６に対して有線方式又は無線方式によりデータの送受信を行うようになっている。このカラオケリモコン装置２２は、楽曲検索手段２２ａとして機能するプログラム、楽曲索引データベース２２ｂ、データの送受信を行うための電子回路及びプログラム、フラッシュメモリ等からなる記憶手段（図示せず）を備えている。カラオケリモコン装置２２に付帯するスイッチ類や、入出力表示部（図示せず）に表示される各種のアイコン等を操作することにより、選曲操作等が行われる。
【００２２】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、演奏に供されるカラオケ楽曲についての属性情報を記述したデータベースであり、例えば、楽曲番号・曲名・歌手名・歌い出し部分の歌詞・流行時期・音楽ジャンル区分・デュエット曲か否かなど、種々の属性情報がこれに含まれている。
【００２３】
＜カラオケ本体＞
カラオケ本体２１は、中央制御手段４１、ＲＯＭ４２、ＲＡＭ４３、ＨＤＤ４４、ネットワーク送受信手段４５、ローカル送受信手段４６、予約管理手段４７、映像台本管理手段４８、音楽再生制御手段４９、背景映像再生制御手段５０、映像再生制御手段５１を備えている。
【００２４】
＜中央制御手段＞
中央制御手段４１は、カラオケ本体２１を総合的に制御するための手段であり、例えばＣＰＵ及びその周辺機器により構成されており、ＣＰＵ等がＲＯＭ４２等に記憶されたアプリケーションプログラムに従って動作することにより、制御機能を発揮することができるようになっている。
【００２５】
＜ＲＯＭ／ＲＡＭ＞
ＲＯＭ４２は、カラオケ本体２１を構成する各機器を制御するためのアプリケーションプログラムデータや数値データを記憶するための機器で、例えば半導体メモリ等で構成される。また、ＲＡＭ４３は、アプリケーションプログラムや各種データを一時的に記憶する一時記憶領域として機能するもので、例えば半導体メモリ等で構成される。なお、物理的な半導体メモリによりＲＡＭ４３を構成するのではなく、ハードディスク記憶装置等を用いて仮想的なＲＡＭ４３を構成してもよい。本実施形態では、ＲＡＭ４３に、予約待ち行列４３ａが記憶されるようになっている。また、ＲＡＭ４３は、サーバ３１から受信した断片映像データを格納するための断片映像データ録画部４３ｂを備えている。
【００２６】
＜ＨＤＤ＞
ＨＤＤ４４は、大容量記憶装置として機能するもので、楽曲データベース４４ａ及び映像台本データベース４４ｂが格納されている。なお、ＨＤＤ４４に替えて、あるいはＨＤＤ４４と共に、データを書き替え可能なＤＶＤ等の大容量記憶装置を用いてもよい。
【００２７】
楽曲データベース４４ａは、演奏データ（ＭＩＤＩ（登録商標）データ）及び歌詞テロップデータが同期されて構成される楽曲データについて、楽曲ＩＤと対応付けてそれぞれ格納したデータベースである。演奏データは各楽曲の演奏データをデジタル化したものであり、歌詞テロップデータは演奏データに同期されたカラオケ楽曲の歌詞文字データである。なお、歌詞文字データには、歌詞文字の表示色データ、色変わりデータ等が含まれている。映像台本データベース４４ｂについては、後に詳述する。なお、ＨＤＤ４４に映像データベースを格納し、この映像データベースに、断片映像データを用いない背景映像データを格納するような構成としてもよい。
【００２８】
＜送受信手段＞
ネットワーク送受信手段４５は、インターネット回線等を介して、サーバ３１との間でデータの送受信を行うための電子回路及びプログラムからなる。また、ローカル送受信手段４６は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間で、データの送受信が行われる。
【００２９】
＜予約管理手段＞
予約管理手段４７は、利用者により楽曲検索手段２２ａの機能を用いて選曲され、ローカル送受信手段４６を介して受信した当該選曲者の利用者情報（例えば利用者ＩＤ）及び選曲された楽曲ＩＤを対応付けて予約待ち行列４３ａとしてＲＡＭ４３に格納し、管理するためのプログラムからなる。なお、楽曲選択の表示や予約待ち行列４３ａの表示は、カラオケリモコン装置２２の入出力表示部（図示せず）及び表示装置２６のいずれか一方、あるいは双方で行うことができる。
【００３０】
＜映像台本管理手段＞
映像台本管理手段４８は、カラオケ楽曲別に、楽曲ＩＤと、背景映像として再生させるための断片映像データの映像ＩＤと、各断片映像データの表示タイミングデータとを紐付けすると共に映像台本ＩＤを付して、映像台本データベース４４ｂにて管理するためのプログラムからなる。各カラオケ楽曲の映像台本は、カラオケ業者により予め作成されるものである。すなわち、複数の断片映像の中から当該カラオケ楽曲の雰囲気にあったものを選択して組み合わせることにより、各カラオケ楽曲の映像台本が作成される。映像台本管理手段４８では、作成された映像台本データに基づいて、映像台本データベース４４ｂを構築する。
【００３１】
図２に、映像台本データベース４４ｂの構成例を示す。映像台本データベース４４ｂは、図２に示すように、台本ＩＤと、楽曲ＩＤと、断片映像ＩＤと、各断片映像データの表示タイミングデータとを対応付けて構築されている。なお、図２に示すように、１つの映像台本に対して、２つ以上のカラオケ楽曲が対応付けられている場合がある。
【００３２】
＜音楽再生制御手段＞
音楽再生制御手段４９は、楽曲ＩＤに基づいて楽曲データベース４４ａから抽出された演奏データをデジタル再生すると共にアナログ変換してミキシングアンプ２５に出力するための電子回路である。ミキシングアンプ２５は、マイクロホン２３から入力された歌唱者の歌唱音声信号と、音楽再生制御手段４９から送出される演奏音声信号とをミキシングすると共に、アンプ機能により増幅してスピーカ２４より出力させるための装置である。
【００３３】
＜背景映像再生制御手段＞
背景映像再生制御手段５０は、任意のカラオケ楽曲の演奏に際して、所定の制御を行うためのプログラムからなる。背景映像再生制御手段５０における制御の概略は、以下の通りである。すなわち、予約待ち行列４３ａに従ってカラオケ楽曲を演奏する際に、当該カラオケ楽曲の楽曲ＩＤに紐付けされた台本ＩＤに基づいて映像台本データベース４４ｂを参照し、当該カラオケ楽曲の映像台本データに含まれている断片映像データが断片映像データ録画部４３ｂに録画されていない場合には、サーバ３１へアクセスして、当該断片映像データをストリーミング再生させる。
【００３４】
また、断片映像データのストリーミング再生に際して、当該断片映像データが、予約待ち行列４３ａにおいて当該カラオケ楽曲よりも後順位のカラオケ楽曲で使用される場合には、当該断片映像データを断片映像データ録画部４３ｂに録画する。
【００３５】
一方、断片映像データ録画部４３ｂに録画された断片映像データの中に、当該カラオケ楽曲の映像台本データに含まれている断片映像データが存在する場合には、サーバ３１から当該断片映像データを取得することなく、録画された断片映像データを使用して背景映像を表示させる。この際、予約待ち行列４３ａにおいて当該カラオケ楽曲よりも後順位のカラオケ楽曲の映像台本データに当該断片映像データが含まれていない場合には、断片映像データ録画部４３ｂから当該断片映像データを消去する。
【００３６】
すなわち、断片映像データ録画部４３ｂに録画された断片映像データが、後順位で演奏されるカラオケ楽曲で使用される場合には、当該断片像データの録画を残しておく。一方、断片映像データ録画部４３ｂに録画された断片映像データが、後順位で演奏されるカラオケ楽曲で使用されない場合には、記憶領域を有効に利用するために、当該断片映像データの録画を断片映像データ録画部４３ｂから消去する。
【００３７】
＜映像再生制御手段＞
映像再生制御手段５１は、カラオケ楽曲の演奏中に、ストリーミング再生される断片映像データや断片映像データ録画部４３ｂから抽出した断片映像データと、楽曲データベース４４ａから抽出した楽曲データのうちの歌詞テロップデータ（歌詞文字データ）とを、当該カラオケ楽曲の演奏データに同期させて表示装置２６に出力するための電子回路である。この際、カラオケ楽曲の演奏進行に従って、歌詞文字が色変わりして表示される。
【００３８】
＜表示装置＞
表示装置２６は、カラオケ演奏時の映像、歌詞テロップ等を表示するための装置で、例えば、ＣＲＴディスプレイ、液晶ディスプレイ、プラズマディスプレイ等により構成される。
【００３９】
＜演奏条件の設定処理＞
図３〜図５を参照して、本発明の実施形態に係るカラオケ背景映像表示システムにおける背景映像の表示制御処理を説明する。図３及び図４は、本発明の実施形態に係るカラオケ背景映像表示システムにおける背景映像の表示制御処理を示すフローチャート、図５は、本発明の実施形態に係るカラオケ背景映像表示システムにおける背景映像の表示制御の手順を示す説明図である。
【００４０】
なお、背景映像の表示制御処理に先立ち、映像台本管理手段４８の機能により、映像台本データベース４４ｂが構築されて、カラオケ楽曲別の映像台本データが管理されているものとする。また、背景映像を構成する断片映像データの再生態様（ストリーミング再生、録画再生）の選択、断片映像データの断片映像データ録画部４３ｂへの録画及び消去は、背景映像再生制御手段５０の機能により制御される。
【００４１】
図３及び図４に示すように、選曲予約されたカラオケ楽曲が存在すると（Ｓ１）、予約待ち行列４３ａの先頭に登録されたカラオケ楽曲の演奏に際して、当該カラオケ楽曲で最初に再生される断片映像データの断片映像データＩＤを参照する（Ｓ２）。そして、録画されている断片映像データの断片映像ＩＤの中に、参照された断片映像データと同一の断片映像ＩＤがあるか否かを判断する（Ｓ３）。ここで、録画されている断片映像データの断片映像ＩＤの中に、参照された断片映像データと同一の断片映像ＩＤがある場合には、断片映像データ録画部４３ｂに録画されている同一の断片映像データを、背景映像として再生させる（Ｓ４）。
【００４２】
続いて、予約待ち行列４３ａにおいて当該カラオケ楽曲よりも後順位のカラオケ楽曲の映像台本データに当該断片映像データと同一の断片映像ＩＤが含まれている否かを判断する（Ｓ５）。ここで、当該断片映像データと同一の断片映像ＩＤが含まれていない場合には、断片映像データ録画部４３ｂから当該断片映像データを消去する（Ｓ６）。一方、当該断片映像データと同一の断片映像ＩＤが含まれている場合には、当該断片映像データを断片映像データ録画部４３ｂに残す。
【００４３】
続いて、当該カラオケ楽曲の演奏が終了したか否かを判断し（Ｓ７）、当該カラオケ楽曲の演奏が終了するまでの間、次に再生する断片映像データの断片映像ＩＤを参照し（Ｓ８）、上述した録画再生に関する各ステップ（Ｓ３〜Ｓ８）又は後に詳述するストリーミング再生に関する各ステップ（Ｓ９〜Ｓ１１）の処理を繰り返して実行する。
【００４４】
また、これから再生する断片映像データと録画された断片映像データとの比較処理（Ｓ３）において、録画されている断片映像データの断片映像ＩＤの中に、参照された断片映像データと同一の断片映像ＩＤがない場合には、予約待ち行列４３ａにおいて当該カラオケ楽曲よりも後順位のカラオケ楽曲の映像台本データに、当該断片映像データと同一の断片映像ＩＤが含まれている否かを判断する（Ｓ９）。ここで、予約待ち行列４３ａにおいて当該カラオケ楽曲よりも後順位のカラオケ楽曲の映像台本データに、当該断片映像データと同一の断片映像ＩＤが含まれている場合には、サーバ３１から当該断片映像データを受信し、背景映像としてストリーミング再生させると共に、当該断片映像データを録画して断片映像データ録画部４３ｂに録画する（Ｓ１０）。
【００４５】
一方、予約待ち行列４３ａにおいて当該カラオケ楽曲よりも後順位のカラオケ楽曲の映像台本データに、当該断片映像データと同一の断片映像ＩＤが含まれていない場合には、サーバ３１から当該断片映像データを受信し、背景映像としてストリーミング再生させる（Ｓ１１）。この場合には、当該断片映像データの録画は行わない。
【００４６】
続いて、当該カラオケ楽曲の演奏が終了したか否かを判断し（Ｓ７）、当該カラオケ楽曲の演奏が終了するまでの間、次に再生する断片映像データの断片映像ＩＤを参照し（Ｓ８）、上述した録画再生に関する各ステップ（Ｓ３〜Ｓ８）又はストリーミング再生に関するステップ（Ｓ９〜Ｓ１１）の処理を繰り返して実行する。
【００４７】
具体的には、図５に示すように、楽曲ＩＤ「＊＊＊＊ａ」のカラオケ楽曲の演奏に際して、当該カラオケ楽曲の台本（ＩＤ／＊＊＊６）を参照すると、断片映像データとして「１２」、「０８」、「１７」、「１８」、「２２」が使用されることがわかる。なお、楽曲ＩＤ「＊＊＊＊ａ」は、最初に演奏されるカラオケ楽曲であるため、断片映像データ録画部４３ｂには、いかなる断片映像データも録画されていないものとする。
【００４８】
また、予約待ち行列４３ａにおいて楽曲ＩＤ「＊＊＊＊ａ」よりも後順位である、楽曲ＩＤ「＊＊＊＊ｆ」の台本（ＩＤ／＊＊＊１）、楽曲ＩＤ「＊＊＊＊ｒ」の台本（ＩＤ／＊＊２０）、楽曲ＩＤ「＊＊＊＊ｄ」の台本（ＩＤ／＊＊＊２）、楽曲ＩＤ「＊＊＊＊ｘ」の台本（ＩＤ／＊＊＊５）、楽曲ＩＤ「＊＊＊＊ａ」の台本（ＩＤ／＊＊＊６）、楽曲ＩＤ「＊＊＊＊ｓ」の台本（ＩＤ／＊＊２５）を参照すると、後に演奏されるカラオケ楽曲において、断片映像データ「１２」、「０８」、「１７」、「１８」、「２２」が再度使用されることがわかる。
【００４９】
したがって、この場合には、サーバ３１へアクセスし、すべての断片映像データ「１２」、「０８」、「１７」、「１８」、「２２」をストリーミング再生させると共に、これらの断片映像データを断片映像データ録画部４３ｂに録画する。
【００５０】
次に、楽曲ＩＤ「＊＊＊＊ｆ」のカラオケ楽曲の演奏に際して、当該カラオケ楽曲の台本（ＩＤ／＊＊＊１）を参照すると、断片映像データとして「０９」、「０８」、「２５」、「２３」、「２７」が使用されることがわかる。また、断片映像データ録画部４３ｂには、断片映像データとして「１２」、「０８」、「１７」、「１８」、「２２」が録画されている。
【００５１】
また、予約待ち行列４３ａにおいて楽曲ＩＤ「＊＊＊＊ｆ」よりも後順位である、楽曲ＩＤ「＊＊＊＊ｒ」の台本（ＩＤ／＊＊２０）、楽曲ＩＤ「＊＊＊＊ｄ」の台本（ＩＤ／＊＊＊２）、楽曲ＩＤ「＊＊＊＊ｘ」の台本（ＩＤ／＊＊＊５）、楽曲ＩＤ「＊＊＊＊ａ」の台本（ＩＤ／＊＊＊６）、楽曲ＩＤ「＊＊＊＊ｓ」の台本（ＩＤ／＊＊２５）を参照すると、後に演奏されるカラオケ楽曲において、断片映像データ録画部４３ｂに録画されている断片映像データである「１２」、「０８」、「１７」、「１８」、「２２」に加えて、新たな断片映像データである「２５」、「２３」が再度使用されることがわかる。
【００５２】
したがって、この場合には、サーバ３１へアクセスし、断片映像データ「０９」、「２５」、「２３」、「２７」をストリーミング再生させると共に、断片映像データ録画部４３ｂに録画された断片映像データである「０８」はこれを読み出して再生させる。そして、後に演奏されるカラオケ楽曲において使用される断片映像データ「２５」、「２３」を断片映像データ録画部４３ｂに録画する。なお、断片映像データ録画部４３ｂに録画された断片映像データの中で、後に演奏されるカラオケ楽曲において再度使用されない断片映像データはないので、断片映像データの消去は行われない。
【００５３】
次に、楽曲ＩＤ「＊＊＊＊ｒ」のカラオケ楽曲の演奏に際して、当該カラオケ楽曲の台本（ＩＤ／＊＊２０）を参照すると、断片映像データとして「２４」、「１１」、「２５」、「１９」、「２８」が使用されることがわかる。また、断片映像データ録画部４３ｂには、断片映像データとして「１２」、「０８」、「１７」、「１８」、「２２」、「２５」、「２３」が録画されている。
【００５４】
また、予約待ち行列４３ａにおいて楽曲ＩＤ「＊＊＊＊ｒ」よりも後順位である、楽曲ＩＤ「＊＊＊＊ｄ」の台本（ＩＤ／＊＊＊２）、楽曲ＩＤ「＊＊＊＊ｘ」の台本（ＩＤ／＊＊＊５）、楽曲ＩＤ「＊＊＊＊ａ」の台本（ＩＤ／＊＊＊６）、楽曲ＩＤ「＊＊＊＊ｓ」の台本（ＩＤ／＊＊２５）を参照すると、後に演奏されるカラオケ楽曲において、断片映像データ録画部４３ｂに録画されている断片映像データである「１２」、「０８」、「１７」、「１８」、「２２」、「２３」と、新たな断片映像データである「１９」が再度使用されることがわかる。なお、断片映像データ録画部４３ｂに録画された断片映像データである「２５」と、新たな断片映像データである「２４」、「１１」、「２８」は再度使用されないことがわかる。
【００５５】
したがって、この場合には、サーバ３１へアクセスして、断片映像データ「２４」、「１１」、「１９」、「２８」をストリーミング再生させると共に、断片映像データ録画部４３ｂに録画された断片映像データである「２５」はこれを読み出して再生させる。そして、後に演奏されるカラオケ楽曲において使用される断片映像データ「１９」を断片映像データ録画部４３ｂに録画する。また、断片映像データ録画部４３ｂに録画された断片映像データの中で、後に演奏されるカラオケ楽曲において再度使用されない断片映像データ「２５」を消去する。
【００５６】
以降、同様の手順にて、断片映像データのストリーミング再生、断片映像データ録画部４３ｂに録画された断片映像データの再生、断片映像データ録画部４３ｂへの断片映像データの録画、断片映像データ録画部４３ｂからの断片映像データの消去が行われる。
【００５７】
＜他の実施形態＞
本発明のカラオケ背景映像表示システム１１及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【００５８】
本発明では、サーバ３１の設置場所は特に限定されない。例えば、複数のカラオケ本体２１を端末として、インターネット回線等のネットワークを介してサーバ３１と各端末とをそれぞれ接続することによりネットワークカラオケシステムを構築してもよいし、ローカルな環境にサーバ３１を設置して、このサーバ３１の傘下に複数のカラオケ本体２１を接続してもよい。
【符号の説明】
【００５９】
１１  カラオケ背景映像表示システム
２１  カラオケ本体
２２  カラオケリモコン装置
２２ａ  楽曲検索手段
２２ｂ  楽曲索引データベース
２３  マイクロホン
２４  スピーカ
２５  ミキシングアンプ
２６  表示装置
３１  サーバ
３１ａ  断片映像データ
４１  中央制御手段
４２  ＲＯＭ
４３  ＲＡＭ
４３ａ  予約待ち行列
４３ｂ  断片映像データ録画部
４４  ＨＤＤ
４４ａ  楽曲データベース
４４ｂ  映像台本データベース
４５  ネットワーク送受信手段
４６  ローカル送受信手段
４７  予約管理手段
４８  映像台本管理手段
４９  音楽再生制御手段
５０  背景映像再生制御手段
５１  映像再生制御手段
【図１】
2011013291.tif 000003
【図２】
2011013291.tif 000004
【図３】
2011013291.tif 000005
【図４】
2011013291.tif 000006
【図５】
2011013291.tif 000007